(57)【要約】【課題】  光源を取り外されて光源装置の電源を用いて使用されることを低減することができる光源装置及び光源装置の制御方法を提供する。【解決手段】光源装置６０は、光源である励起光照射装置７０と、ファン２６０と、ファン２６０を駆動するファン駆動部４３３と、ファン２６０の回転数を検出するファン回転数検出部４３４、又は、ファン駆動部４３３を駆動する電流の電流値を検出する電流値検出部４３２と、ファン回転数検出部４３４により検出した検出値が閾値よりも高い場合、又は、電流値検出部４３２により検出した検出値が閾値よりも低い場合に、励起光照射装置７０の点灯条件を変更するように制御する制御部であるファン制御部４３１と、を有する。【選択図】  図５
2020057509.tif 000002
【特許請求の範囲】
【請求項１】
光源と、
ファンと、
前記ファンを駆動するファン駆動部と、
前記ファンの回転数を検出するファン回転数検出部、又は、前記ファン駆動部における前記ファンを駆動する電流の電流値を検出する電流値検出部と、
前記ファン回転数検出部により検出した検出値が閾値よりも高い場合、又は、前記電流値検出部により検出した検出値が閾値よりも低い場合に、前記光源の点灯条件を変更するように制御する制御部と、
を有することを特徴とする光源装置。
【請求項２】
前記光源の点灯条件の変更は、前記光源を減光又は消灯させる、電源をオフする、の何れかであることを特徴とする請求項１に記載の光源装置。
【請求項３】
内部に、前記光源と前記ファンとが設けられるケースを備え、
前記光源は、レーザダイオードであることを特徴とする請求項１又は請求項２に記載の光源装置。
【請求項４】
前記レーザダイオードは、ホルダに複数設けられることを特徴とする請求項３に記載の光源装置。
【請求項５】
前記制御部は、前記ファン回転数検出部により検出した検出値が所定時間の間閾値よりも高い場合、又は、前記電流値検出部により検出した検出値が所定時間の間閾値よりも低い場合に、前記光源の点灯条件を変更することを特徴とする請求項１乃至請求項４の何れか記載の光源装置。
【請求項６】
ファンをファン駆動部により回転駆動するファン駆動工程と、
前記ファンの回転数又は前記ファン駆動部における前記ファンを駆動する電流の電流値を検出する検出工程と、
前記検出工程で検出した検出値と予め定められた閾値とを比較する比較工程と、
前記比較工程で比較した結果、前記ファンの回転数が閾値よりも高い場合、又は、前記電流値が閾値よりも低い場合に、光源の点灯条件を変更する制御工程と、
を有することを特徴とする光源装置の制御方法。
【発明の詳細な説明】
【技術分野】
【０００１】
本発明は、光源装置及び光源装置の制御方法に関する。
【背景技術】
【０００２】
今日、パーソナルコンピュータの画面やビデオ画像、さらにメモリカード等に記憶されている画像データによる画像等をスクリーンに投影する画像投影装置として、データプロジェクタが多用されている。このプロジェクタは、光源から出射された光を、ＤＭＤ（デジタル・マイクロミラー・デバイス）と呼ばれるマイクロミラー表示素子、又は、液晶板に集光させ、スクリーン上にカラー画像を表示させるものである。
【０００３】
プロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、レーザダイオード等の半導体発光素子や、この半導体発光素子を励起光源とする蛍光板を光源として備える投影装置が種々開発されている。
【０００４】
例えば、特許文献１には、光源装置内の光源用素子が、他の用途に用いるために取り外されることを防止する光源装置が開示されている。この光源装置では、孔部の後端周囲によりレーザ発光素子のフランジ部の前面を押えてレーザ発光素子を光源用素子ホルダの前面に押圧して当該光源用素子ホルダに固定し、リード線引出孔部に接着固定部材が充填されてレーザ発光素子を光源用素子ホルダに接着固定している。
【先行技術文献】
【特許文献】
【０００５】
【特許文献１】特開２０１３−６５５０７号公報
【発明の概要】
【発明が解決しようとする課題】
【０００６】
上記の従来技術によれば、レーザ発光素子は、光源用素子ホルダから取り外されて使用されることを低減することができる。一方で、光源用素子ホルダ及び光源用素子ホルダの前面に取付けられるコリメータレンズホルダごと光源装置のケースから取り外し、該光源装置の電源を用いて光源用素子ホルダのレーザ発光素子を使用することも防止したい要望もある。
【０００７】
本発明は、以上の点に鑑み、光源を取り外されて光源装置の電源を用いて使用されることを低減することができる光源装置及び光源装置の制御方法を提供することを目的とする。
【課題を解決するための手段】
【０００８】
本発明に係る光源装置は、光源と、ファンと、前記ファンを駆動するファン駆動部と、前記ファンの回転数を検出するファン回転数検出部、又は、前記ファン駆動部における前記ファンを駆動する電流の電流値を検出する電流値検出部と、前記ファン回転数検出部により検出した検出値が閾値よりも高い場合、又は、前記電流値検出部により検出した検出値が閾値よりも低い場合に、前記光源の点灯条件を変更するように制御する制御部と、を有することを特徴とする。
【０００９】
本発明に係る光源装置の制御方法は、ファンをファン駆動部により回転駆動するファン駆動工程と、前記ファンの回転数又は前記ファン駆動部における前記ファンを駆動する電流の電流値を検出する検出工程と、前記検出工程で検出した検出値と予め定められた閾値とを比較する比較工程と、前記比較工程で比較した結果、前記ファンの回転数が閾値よりも高い場合、又は、前記電流値が閾値よりも低い場合に、光源の点灯条件を変更する制御工程と、を有することを特徴とする。
【発明の効果】
【００１０】
本発明によれば、光源を取り外されて光源装置の電源を用いて使用されることを低減することができる光源装置及び光源装置の制御方法を提供することができる。
【図面の簡単な説明】
【００１１】
【図１】本発明の実施形態に係る投影装置を示す外観斜視図である。
【図２】本発明の実施形態に係る投影装置の機能ブロックを示す図である。
【図３】本発明の実施形態に係る投影装置の内部構造を示す平面模式図である。
【図４】本発明の実施形態に係る光源装置の光学ケース内部の平面模式図である。
【図５】本発明の実施形態に係るファン駆動制御装置の構成を主に示すブロック図である。
【図６】本発明の実施形態に係る光源装置の制御方法を示すフロー図である。
【発明を実施するための形態】
【００１２】
以下、本発明を実施するための形態について説明する。図１は、投影装置１０の外観斜視図である。本実施形態の投影装置１０は、ケース１６を備える。ケース１６は、上ケース１６ａ及び下ケース１６ｂを備える。投影装置１０の筐体の側板である正面パネル１２、背面パネル１３、右側パネル１４、及び左側パネル１５は、上ケース１６ａの外周縁から下方に向かって立設する。各パネル１２〜１５の下端は、下ケース１６ｂの外周縁と当接する。したがって、投影装置１０は、上ケース１６ａと下ケース１６ｂにより略直方体状に形成される。なお、本実施形態において、投影装置１０における左右とは投影方向に対しての左右方向を示し、前後とは投影装置１０のスクリーン側方向及び光線束の進行方向に対しての前後方向を示す。
【００１３】
投影装置１０の筺体（ケース１６）の上面パネル１１には、キー／インジケータ部３７、投影画像調整部１１ａが設けられる。このキー／インジケータ部３７には、電源スイッチキーや電源のオン又はオフを報知するパワーインジケータ、投影のオン、オフを切りかえる投影スイッチキー、各色光源装置や表示素子又は制御回路等が過熱した時に報知をする過熱インジケータ等の各種設定を行うためのキーやインジケータが配置されている。投影画像調整部１１ａは、一つ又は複数の回動摘みを備える。この回動摘みを操作することにより、図４で後述する投影光学系の可動レンズの位置が調節され、投影画像の大きさやピントの調節が行われる。また、投影装置１０は、図示しないが、リモートコントローラからの制御信号を受信するＩｒ受信部を備えている。
【００１４】
正面パネル１２と右側パネル１４の前方右側の角部５０１には、吸気孔３１０が設けられる。正面パネル１２の左側には、すり鉢状に窪んだ光出射部１２ａが設けられる。この光出射部１２ａの左側パネル１５側の壁部には、吸気孔３２０が形成される。投影装置１０は、光出射部１２ａに、投影口１２ｂと、投影口１２ｂを覆うレンズカバー１９を有する。
【００１５】
正面パネル１２の下端には、高さ調節ボタン１２ｃが設けられる。投影装置１０は、正面パネル１２側の内部に支脚を備える。投影装置１０は、高さ調節ボタン１２ｃが押下されている間、下方からその支脚を出没させることができる。よって、使用者は、高さ調節ボタン１２ｃを操作することにより支脚を任意の出代量で固定し、投影装置１０の高さや傾きを調節することができる。
【００１６】
背面パネル１３には、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネル１３において、右側パネル１４側の角部５０３に吸気孔３３０が形成され、左側パネル１５側の角部５０４にも排気孔３４０が形成される。
【００１７】
次に、投影装置１０の投影装置制御部について図２の機能ブロック図を用いて説明する。投影装置制御部は、制御部３８（ＣＰＵ）、入出力インターフェース２２、画像変換部２３、表示エンコーダ２４、表示駆動部２６等から構成される。
【００１８】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００１９】
そして、この投影装置制御部により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００２０】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２１】
表示駆動部２６は、表示エンコーダ２４から出力された画像信号に対応して適宜フレームレートで空間的光変調素子（ＳＯＭ）である表示素子５１を駆動するものである。
【００２２】
投影装置１０は、光源装置６０から出射された光源光の光線束を、後述する導光光学系を介して表示素子５１に照射することにより、表示素子５１の反射光で光像（画像）を形成する。投影装置１０は、その形成した光像を同じく後述する投影光学系を介してスクリーンに投影し、画像を表示させる。なお、この投影光学系の可動レンズ群２３５は、レンズモータ４５によりズーム調整やフォーカス調整のための駆動が行われる。
【００２３】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２４】
また、画像圧縮／伸長部３１は、再生モード時はメモリカード３２に記録された画像データを読み出し、一連の動画を構成する個々の画像データを１フレーム単位で伸長する。そして、画像圧縮／伸長部３１は、その画像データを、画像変換部２３を介して表示エンコーダ２４に出力し、メモリカード３２に記憶された画像データに基づいた動画等を表示する処理を行う。
【００２５】
筺体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６で復調されたコード信号が制御部３８に出力される。
【００２６】
なお、制御部３８にはシステムバス（ＳＢ）を介して音声処理部４７が接続されている。この音声処理部４７は、ＰＣＭ音源等の音源回路を備えており、投影モード及び再生モード時には音データをアナログ化し、スピーカ４８を駆動して拡声放音させる。
【００２７】
また、制御部３８は、光源制御部としての光源制御回路４１を制御している。この光源制御回路４１は、画像生成時に要求される所定波長帯域の光が光源装置６０から出射されるように、光源装置６０の緑色光源装置における励起光照射装置や、赤色光源装置の発光を個別に制御する。光源装置６０から出射された所定の波長帯域の光は、照射ミラー１８５で反射され、表示素子５１に照射される。
【００２８】
制御部３８は、ファン駆動制御回路４３（ＣＰＵ）に光源装置６０等に設けた複数の温度センサによる温度検出を行わせ、この温度検出の結果からファンの回転速度を制御させている。また、制御部３８は、投影装置１０の電源をＯＦＦにする指示を受けると、ファン駆動制御回路４３にタイマーを用いて投影装置１０本体の電源ＯＦＦ後もファンの回転を持続させたり、温度センサによる温度検出の結果に応じて投影装置１０本体の電源を切るタイミングを定める等の制御を行うことができる。
【００２９】
また、詳細は後述するが、ファン駆動制御回路４３は、ファンの回転数や駆動電流の変化によりケース１６内部の通風抵抗の変化を捉えて、光源の取出し等があったものと判断して投影装置１０の電源をオフする制御部であるファン制御部４３１（ＣＰＵ）等を備える。
【００３０】
次に、図３及び図４に基づいて、投影装置１０のケース１６内部における内部構造について述べる。図３は、投影装置１０の内部構造を示す平面模式図である。投影装置１０は、電源装置３０１、制御回路基板３０２、光源装置６０を備える。また、投影装置１０は、ファン２６０として、吸気ファン２６１、吸気ファン２６２、排気ファン２６３を備える。
【００３１】
光源装置６０は、投影装置１０の筐体の略中央に配置される。光源装置６０は、光学ケース６１を備える。光学ケース６１は、上部が開口される光学ケース本体６１ａと、開口される上部に取り付けられるカバー６１ｂを備える。この光学ケース６１の内部に各色光源やレンズ、ミラー等の光学部材が収容される。電源装置３０１は、光源装置６０の左側パネル１５側に配置される。電源装置３０１の基板は、左側パネル１５と略平行に配置される。制御回路基板３０２は、光源装置６０の背面パネル１３側に配置される。制御回路基板３０２は、上下方向に対し略垂直に配置される。制御回路基板３０２は、電源回路ブロックや光源制御ブロック等を備える。また、制御回路基板３０２は、電源回路ブロックや光源制御ブロック等の機能毎に分けて、複数備えることができる。
【００３２】
ここで、光源装置６０の内部構造について説明する。図４は、光源装置６０の光学ケース６１のカバー６１ｂ等を省略して示す平面模式図である。光源装置６０は、赤色波長帯域光の光源である赤色光源装置１２０と、緑色波長帯域光の光源である緑色光源装置８０と、青色波長帯域光の光源である青色光源装置であると共に励起光源でもある励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、各色波長帯域の光線束を同一光路上に導光する。
【００３３】
励起光照射装置７０は、投影装置１０の右側パネル１４側に配置される。励起光照射装置７０は、背面パネル１３と光軸が平行になるよう配置された複数の半導体発光素子を備える。本実施形態の半導体発光素子は、青色波長帯域光を発する複数の青色レーザダイオード７１である。また、複数の青色レーザダイオード７１は、右側パネル１４と平行に並べて配置されている。これら青色レーザダイオード７１は、光源用素子ホルダであるホルダ７４に固定される。
【００３４】
また、励起光照射装置７０は、反射ミラー７６、拡散板７８、ヒートシンク８１を備える。反射ミラー７６は、各青色レーザダイオード７１からの出射光の光軸を拡散板７８に向けて略９０度変換する。拡散板７８は、反射ミラー７６で反射した各青色レーザダイオード７１からの出射光を予め定められた拡散角度で拡散する。ヒートシンク８１は、青色レーザダイオード７１と右側パネル１４との間に配置される。
【００３５】
各青色レーザダイオード７１からの光路上には、青色レーザダイオード７１からの出射光の指向性を高めて平行光に変換するコリメータレンズ７３が夫々配置されている。これらコリメータレンズ７３は、青色レーザダイオード７１とともにホルダ７４に保持される。
【００３６】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を出射する半導体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。また、赤色光源装置１２０は、赤色光源１２１の右側パネル１４側にヒートシンク１３０を備える。
【００３７】
緑色光源装置８０を構成する蛍光板装置１００は、蛍光板１０１、モータ１１０、入射側の集光レンズ群１１７、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ群１１７は、励起光照射装置７０から出射される励起光の光線束を蛍光板１０１に集光する。集光レンズ１１５は、蛍光板１０１から正面パネル１２方向に出射される光線束を集光する。なお、蛍光板装置１００は、集光レンズ群１１７及び集光レンズ１１５の上方に配置される。そのため、蛍光板１０１の下方の一部が集光レンズ群１１７及び集光レンズ１１５の光路上に配置される。
【００３８】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００３９】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色波長帯域光及び赤色波長帯域光を透過し、緑色波長帯域光を反射する。第一ダイクロイックミラー１４１が反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００４０】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、背面パネル１３側に９０度変換される。第二ダイクロイックミラー１４８の背面パネル１３側には、集光レンズ１７３が配置される。第二ダイクロイックミラー１４８により反射された赤色波長帯域光及び緑色波長帯域光は、集光レンズ１７３に入射する。
【００４１】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、集光レンズ１７３に入射する。このようにして、導光光学系１４０により導光された赤色、緑色、青色の各波長帯域光の光線束は、光源側光学系１７０の同一光路上に導光される。
【００４２】
光源側光学系１７０は、集光レンズ１７３、ライトトンネルやガラスロッド等のライトトンネル１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影光学系２２０に向けて出射するため、投影光学系２２０の一部でもある。
【００４３】
集光レンズ１７３から出射した各光線束は、ライトトンネル１７５に入射する。ライトトンネル１７５に入射される各光線束は、ライトトンネル１７５により均一な強度分布の光線束となる。
【００４４】
ライトトンネル１７５の背面パネル１３側の光軸上には、集光レンズ１７８を介して、光軸変換ミラー１７９が配置されている。ライトトンネル１７５の出射口から出射した光線束は、集光レンズ１７８で集光された後、光軸変換ミラー１７９により、集光レンズ１８３に向かう光軸に変換される。
【００４５】
光軸変換ミラー１７９で反射した光線束は、集光レンズ１８３により集光された後、照射ミラー１８５により、コンデンサレンズ１９５を介して表示素子５１に所定の角度で照射される。なお、表示素子５１の背面パネル１３側にはヒートシンク１９０が設けられている。ＤＭＤとされる表示素子５１は、このヒートシンク１９０により冷却される。
【００４６】
そして、光源側光学系１７０により表示素子５１の画像形成面に照射された光源光である光線束は、表示素子５１の画像形成面で反射され、投影光として投影光学系２２０を介してスクリーンに投影される。
【００４７】
投影光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００４８】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介してライトトンネル１７５に入射され、さらに光源側光学系１７０を介して表示素子５１に入射される。よって、投影装置１０の表示素子５１であるＤＭＤがデータに応じて各色の光を時分割表示することにより、スクリーンにカラー画像を投影することができる。
【００４９】
そして、図５に示すように、投影装置１０の光源装置６０には、ファン２６０（吸気ファン２６１，２６２、排気ファン２６３）、ファン駆動制御回路４３及びファン２６０の回転数を検出するセンサ４１０を備えてファン駆動制御装置４００が形成される。ファン駆動制御装置４００は、ファン２６０の回転数又は電流値を検出して、この検出値と所定の閾値を比較して投影装置１０のケース１６内の通風抵抗の変化を検出する。これにより、ファン駆動制御装置４００は、光源装置６０の複数の青色レーザダイオード７１（ホルダ７４）や赤色光源装置１２０（赤色光源１２１）が投影装置１０から取り外されたことを検出する。
【００５０】
ファン駆動制御装置４００のファン駆動制御回路４３（ＣＰＵ）は、ファン制御部（制御部）４３１（ＣＰＵ）、電流値検出部４３２（ＣＰＵ）、ファン駆動部４３３（ＣＰＵ）、ファン回転数検出部４３４（ＣＰＵ）を備える。ファン駆動部４３３は、具体的には、ファン２６０のプロペラを駆動する駆動モータである。電流値検出部４３２は、ファン駆動部４３３と接続してファン２６０を駆動する電流の電流値を検出する。電流値検出部４３２はファン制御部４３１と接続し、検出した電流値をファン制御部４３１に出力する。
【００５１】
また、ファン回転数検出部４３４は、センサ４１０と接続して、ファン２６０のプロペラの回転数を検出する。センサ４１０は、例えば、近接センサ、レーザセンサ、渦電流変位センサ等を用いることができる。そして、ファン回転数検出部４３４は、センサ４１０からのパルス信号を解析してファン２６０のプロペラの回転数を検出する。ファン回転数検出部４３４は、ファン制御部４３１と接続し、検出したファン２６０の回転数をファン制御部４３１に出力する。
【００５２】
ファン制御部４３１は、ファン回転数検出部４３４により検出した検出値が閾値よりも高いか否か、又は、電流値検出部４３２により検出した検出値が閾値よりも低いか否か、を判定する。これにより、投影装置１０の上ケース１６ａが取り外されたか否か、又は、投影装置１０から励起光照射装置７０（ホルダ７４等）や赤色光源装置１２０が取り外されたか否かを判定している。すなわち、投影装置１０は、図３に示すように、ファン２６０の吸気ファン２６１，２６２、排気ファン２６３によりケース１６の内部で空気を流通させている。通常使用時においては、ケース１６の内部で流通する空気の抵抗（通風抵抗）は一定である。ところが、上ケース１６ａを取り外した場合や、上ケース１６ａを取り外して励起光照射装置７０（励起光照射装置７０全体の場合もあるが、青色レーザダイオード７１を備えるホルダ７４や青色レーザダイオード７１単体の場合もある）や赤色光源装置１２０を取り外して再び上ケース１６ａを取り付けた場合には、ケース１６内の通風抵抗は下がる。従って、通風抵抗が下がったことで、上ケース１６ａが取り外されているか、光源（励起光照射装置７０、赤色光源装置１２０）が取り外された、と判定できる。
【００５３】
そして、通風抵抗が下がると、ファン２６０の回転数は増加する。また、ファン駆動部４３３を駆動する電流値は、通風抵抗が下がると低下する。従って、ファン制御部４３１は、ファン２６０の回転数が所定の閾値よりも上がった場合、又は、ファン駆動部４３３の電流値が所定の閾値よりも下がった場合に、上ケース１６ａが取り外されているか、光源が取り外されていると判断することとした。
【００５４】
なお、通風抵抗の変化は、上ケース１６ａを取り外した場合や投影装置１０の光源（又はその他の機器）を取り外した場合に限られず、吸気孔３１０，３２０，３３０や排気孔３４０が塞がれた場合やファン２６０のフィルタの目詰まり（長期間使用による埃等によるもの）が考えられる。しかしながら、これらの場合には、通風抵抗が増加することになる（すなわち、ファン２６０の回転数は低下し、又は、ファン駆動部４３３の電流値は上がる。）ので、通風抵抗の低下を検出する本実施形態とは異なり、誤作動とはならない。
【００５５】
ここで、投影装置１０の通常使用時において、ファン制御部４３１によりファン２６０の回転数を維持するよう制御している場合には、通風抵抗の変化によりファン駆動部４３３を駆動する電流値が変化する。一方、ファン制御部４３１によりＤｕｔｙ制御されている場合は、通風抵抗が変化するとファン２６０の回転数が変化して、電流値は変化しない。従って、所定の閾値との比較をファン２６０の回転数で行うか、ファン駆動部４３３の電流値で行うかは、ファン駆動制御回路４３（ファン制御部４３１）のファン２６０の制御方法により適宜選択すればよい。そして、ファン制御部４３１は、制御部３８と接続して、光源が取り外されていると判定した場合には、投影装置１０（又は光源装置６０）の電源をオフする信号を出力する。
【００５６】
次に、図６に基づいて、光源取り外し判定処理のフローを説明する。
ファン駆動工程；投影装置１０の電源がＯＮされて（ステップＳ１０１）、ファン２６０が回転駆動される（ステップＳ１０３）。
検出工程；ファン回転数検出部４３４によりファン２６０の回転数を検出する。又は、電流値検出部４３２によりファン駆動部４３３を駆動する電流の電流値を検出する（ステップＳ１０５）。
比較工程；検出した回転数又は電流値と、予め定められた（予め設定した）所定の閾値を比較する（ステップＳ１０７）。
制御工程；比較工程で比較した結果、ファン回転数検出部４３４により検出した検出値（回転数）が閾値よりも高い場合、又は、電流値検出部４３２により検出した検出値が閾値よりも低い場合に、投影装置１０の電源をＯＦＦにする（ステップＳ１０９）。
【００５７】
比較工程による回転数又は電流値と閾値の比較は、上記の他、例えば、ファン２６０の回転数が閾値よりも高い（又はファン駆動部４３３の電流値が閾値よりも低い）時間が所定時間続いた場合に電源をＯＦＦとすることもできる。何らかの原因で、瞬間的に回転数又は電流値が変化する場合を除くものである。更に、吸気孔３１０，３２０，３３０や排気孔３４０が塞がれた場合や、長期間使用による埃等によりファン２６０のフィルタに目詰まりが生じた場合等に、通風抵抗が徐々に変化することにより、ファン２６０の回転数又はファン駆動部４３３の電流値が、使用中に漸次増加（又は低下）することも考えられるため、漸次変化する検出値を除いて判定をすることもできる。
【００５８】
また、本実施形態では、ファン回転数検出部４３４は、検出値が閾値よりも高い（又は低い）場合には、電源をＯＦＦとするよう制御するとしたが、この制御に限らない。
ファン制御部４３１は、光源の点灯状態を変更するように制御すれば良く、例えば、光源を減光する、若しくは消灯するように制御しても良い。更には、閾値を２段階で設定し、第１段階では光源の光量を落とす制御を行い、第２段階では電源をＯＦＦとすることもできる。第１段階では、万が一の誤作動により投影装置１０による投影が中断されることを防ぎつつ、光源の不正な使用や上ケース１６ａの取り外しであれば少しでも影響が少ないように光源の光量を落とすよう制御する。そして、確実に光源が取り外されている、又は確実に上ケース１６ａが取り外されていると考えられる第２段階では、電源をＯＦＦとするよう制御することができる。
【００５９】
以上、本発明の実施形態によれば、投影装置１０の光源装置６０は、励起光照射装置７０等の光源と、ファン２６０と、ファン駆動部４３３と、ファン２６０の回転数を検出するファン回転数検出部４３４又はファン駆動部４３３の電流値を検出する電流値検出部４３２と、ファン制御部４３１を備える。ファン制御部４３１は、ファン回転数検出部４３４の検出値が閾値よりも高い場合、又は、電流値検出部４３２の検出値が閾値よりも低い場合に、投影装置１０（又は光源装置６０）の電源をオフにする等、光源の点灯条件を変更するように制御する。
【００６０】
これにより、投影装置１０の内部の通風抵抗の変化（通風抵抗の低下）を検出することができるので、上ケース１６ａを取り外しての投影装置１０の使用や、光源（励起光照射装置７０や赤色光源装置１２０）を投影装置１０の光源装置６０から取り外して、投影装置１０における光源装置６０の電源を用いて発光させたりする行為の予防をすることができる。そして、この光源取り外しの予防は、投影装置１０における光源装置６０のソフトウェアで実現できるため、製造に掛かるコストを低減できると共に、容易に分析されないようにしておくこともできる。また、通風抵抗の変化による制御は、投影装置１０の他の動作への影響を少なくすることもできる。
【００６１】
そして、光源の点灯条件の変更は、光源を減光又は消灯させる、電源をオフする、の何れかとすることができる。これにより、光源装置６０（投影装置１０）の使用状況に応じて適切な制御を選択することができる。
【００６２】
また、光源装置６０は、光源としてレーザダイオードを備えて、内部にファン２６０が設けられるケース１６を設けることができる。これにより、ケース１６の内部の通風抵抗の変化を検出するよう投影装置１０を形成することもできる。また、青色レーザダイオード７１等の、取り扱いが難しい半導体発光素子について、投影装置１０からの分解防止の措置を取ることができる。
【００６３】
また、レーザダイオードは、ホルダに複数設けられる。これにより、レーザダイオードが複数設けられるホルダごと光源装置６０（投影装置１０）から取り外して使用されてしまうことを予防することができる。
【００６４】
また、ファン制御部４３１は、ファン回転数検出部４３４により検出した検出値が所定時間の間閾値よりも高い場合に、又は、電流値検出部４３２により検出した検出値が所定時間の間閾値よりも低い場合に、光源の点灯条件を変更する。これにより、経時的に通風抵抗が漸次増加（又は漸次低下）する場合の通風抵抗の変化を除外して、精度を高めて光源取り外しの防止を行うことができる。
【００６５】
また、投影装置１０の制御方法は、ファン駆動工程と、ファン２６０の回転数又はファン駆動部の電流値を検出する検出工程と、該検出値と閾値を比較する比較工程と、回転数が閾値より高い場合又は電流値が閾値よりも低い場合に電源をオフするよう制御する制御工程と、を備える。これにより、光源を取り外されて光源装置の電源を用いて使用されることを低減することができる光源装置及び光源装置の制御方法を提供することができる。
【００６６】
なお、以上説明した各実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６７】
以下に、本願出願の最初の特許請求の範囲に記載された発明を付記する。
［１］光源と、
ファンと、
前記ファンを駆動するファン駆動部と、
前記ファンの回転数を検出するファン回転数検出部、又は前記ファン駆動部における前記ファンを駆動する電流の電流値を検出する電流値検出部と、
前記ファン回転数検出部により検出した検出値が閾値よりも高い場合、又は前記電流値検出部により検出した検出値が閾値よりも低い場合に、前記光源の点灯条件を変更するように制御する制御部と、
を有することを特徴とする光源装置。
［２］前記光源の点灯条件の変更は、前記光源を減光又は消灯させる、電源をオフする、の何れかであることを特徴とする前記［１］に記載の光源装置。
［３］内部に、前記光源と前記ファンとが設けられるケースを備え、
前記光源は、レーザダイオードであることを特徴とする前記［１］又は前記［２］に記載の光源装置。
［４］前記レーザダイオードは、ホルダに複数設けられることを特徴とする前記［３］に記載の光源装置。
［５］前記ファン制御部は、前記ファン回転数検出部により検出した検出値が所定時間の間閾値よりも高い場合、又は前記電流値検出部により検出した検出値が所定時間の間閾値よりも低い場合に、前記光源の点灯条件を変更することを特徴とする前記［１］乃至前記［４］の何れか記載の光源装置。
［６］ファンをファン駆動部により回転駆動するファン駆動工程と、
前記ファンの回転数又は前記ファン駆動部における前記ファンを駆動する電流の電流値を検出する検出工程と、
前記検出工程で検出した検出値と予め定められた閾値とを比較する比較工程と、
前記比較工程で比較した結果、前記ファンの回転数が閾値よりも高い場合、又は前記電流値が閾値よりも低い場合に、光源の点灯条件を変更する制御工程と、
を有することを特徴とする光源装置の制御方法。
【符号の説明】
【００６８】
１０      投影装置                  １１      上面パネル
１１ａ    投影画像調整部            １２      パネル
１２      正面パネル                １２ａ    光出射部
１２ｂ    投影口                    １２ｃ    高さ調節ボタン
１３      背面パネル                １３      パネル
１４      パネル                    １４      右側パネル
１５      左側パネル                １５      パネル
１６      ケース                １６ａ    上ケース
１６ｂ    下ケース                  １９      レンズカバー
２０      端子                      ２１      入出力コネクタ部
２２      入出力インターフェース    ２３      画像変換部
２４      表示エンコーダ            ２５      ビデオＲＡＭ
２６      表示駆動部                ３１      画像圧縮／伸長部
３２      メモリカード              ３５      Ｉｒ受信部
３６      Ｉｒ処理部                ３７      キー／インジケータ部
３８      制御部（ＣＰＵ）          ４１      光源制御回路（ＣＰＵ）
４３      ファン駆動制御回路（ＣＰＵ）
４５      レンズモータ
４７      音声処理部                ４８      スピーカ
５１      表示素子                  ６０      光源装置
６１      光学ケース                ６１ａ    光学ケース本体
６１ｂ    カバー                    ７０      励起光照射装置
７１      青色レーザダイオード      ７３      コリメータレンズ
７４      ホルダ                    ７６      反射ミラー
７８      拡散板                    ８０      緑色光源装置
８１      ヒートシンク              １００    蛍光板装置
１０１    蛍光板                    １１０    モータ
１１５    集光レンズ                １１７    集光レンズ群
１２０    赤色光源装置              １２１    赤色光源
１２５    集光レンズ群              １３０    ヒートシンク
１４０    導光光学系                １４１    第一ダイクロイックミラー
１４３    第一反射ミラー            １４５    第二反射ミラー
１４６    集光レンズ                １４７    集光レンズ
１４８    第二ダイクロイックミラー  １４９    集光レンズ
１７０    光源側光学系              １７３    集光レンズ
１７５    ライトトンネル            １７８    集光レンズ
１７９    光軸変換ミラー            １８３    集光レンズ
１８５    照射ミラー                １９０    ヒートシンク
１９５    コンデンサレンズ          ２２０    投影光学系
２２５    固定レンズ群              ２３５    可動レンズ群
２６０    ファン                    ２６１    吸気ファン
２６２    吸気ファン                ２６３    排気ファン
３０１    電源装置                  ３０２    制御回路基板
３１０    吸気孔                    ３２０    吸気孔
３３０    吸気孔                    ３４０    排気孔
４００    ファン駆動制御装置        ４１０    センサ
４３１    ファン制御部（ＣＰＵ）    ４３２    電流値検出部（ＣＰＵ）
４３３    ファン駆動部（ＣＰＵ）    ４３４    ファン回転数検出部（ＣＰＵ）
５０１    角部                      ５０３    角部
５０４    角部                  
【図１】
2020057509.tif 000003
【図２】
2020057509.tif 000004
【図３】
2020057509.tif 000005
【図４】
2020057509.tif 000006
【図５】
2020057509.tif 000007
【図６】
2020057509.tif 000008